(57)【要約】【課題】側壁の下部にバンド挿入口があるプロテクタにおいて、結束バンドの挿入作業が楽に行えて、電線の取りこぼしが発生しないハーネスプロテクタを提供する。【解決手段】底壁１１と、該底壁の幅方向両側から起立する一対の側壁１２、１３と、によりハーネス収容空間Ｐが画成された樋形状のハーネスプロテクタ１０において、一方の側壁１２の下部に、ハーネス収容空間に収容したワイヤーハーネスＷを、プロテクタ１０と共に結束する結束バンド２０の先端を挿入するためのバンド挿入口１４を設けると共に、底壁１１の内面に、バンド挿入口１４に連通したバンド挿入用の溝１５を、底壁１１の幅方向に沿って設けた。溝１５は、底壁１１の内面に２本の平行なリブ１７を突設して、それら２本のリブ１７の間に確保した。【選択図】図２
2007174821.tif 000002
【特許請求の範囲】
【請求項１】
底壁と、該底壁の幅方向両側から起立する一対の側壁と、によりハーネス収容空間が画成された樋形状のハーネスプロテクタにおいて、
前記一方の側壁の下部に、前記ハーネス収容空間に収容したハーネスを、プロテクタと共に結束する結束バンドの先端を挿入するためのバンド挿入口を設けると共に、前記底壁の内面に、前記バンド挿入口に連通したバンド挿入用の溝を、底壁の幅方向に沿って設けたことを特徴とするハーネスプロテクタ。
【請求項２】
請求項１に記載のハーネスプロテクタであって、
前記バンド挿入口を設けた側壁と対向する反対側の側壁の内面に、前記底壁の内面に設けた溝と連続する溝を設けたことを特徴とするハーネスプロテクタ。
【請求項３】
請求項１または２に記載のハーネスプロテクタであって、
前記底壁または側壁の内面に２本の平行なリブを突設し、これら２本のリブの間に前記溝を確保したことを特徴とするハーネスプロテクタ。
【請求項４】
請求項３に記載のハーネスプロテクタであって、
前記一方のリブをプロテクタの長手方向の開口端に設けたことを特徴とするハーネスプロテクタ。
【発明の詳細な説明】
【技術分野】
【０００１】
本発明は、自動車等に配索されるワイヤーハーネスを収納して、外部との干渉から保護するハーネスプロテクタに関するものである。
【背景技術】
【０００２】
自動車等にワイヤーハーネスを配索する場合、ワイヤーハーネスを樋形状のハーネスプロテクタの内部に収容した上で、車体等に固定することがよく行われている。この種のハーネスプロテクタとしては、ワイヤーハーネスを直線状に収容するものや、湾曲状、あるいはＴ字状に収容するものなど、各種の形状のものがある。
【０００３】
このようなハーネスプロテクタにワイヤーハーネスを収容した場合、ワイヤーハーネスが浮き上がったり、がたついたりしないように固定しておく必要がある。従来では、その固定の仕方として、テープ巻きによる固定の他に、結束バンドを用いて固定することがよく行われている。
【０００４】
図４は結束バンドを用いて固定する場合の従来例（例えば、特許文献１参照）を示している。このハーネスプロテクタ１１０は、底壁１１１と、該底壁１１１の幅方向両側から起立する一対の側壁１１２、１１３とを有し、上面が開放した樋形状をなしており、それら３面の壁１１１、１１２、１１３によってハーネス収容空間Ｐを画成したものである。
【０００５】
底壁１１１の一方の側壁１１２寄りの位置には、結束バンド１２０の先端を挿通させるバンド挿入口１１４が明けられ、他方の側壁１１３の上端には、結束バンド１２０が位置ずれしないように係合する切欠部１１８が形成されている。
【０００６】
このハーネスプロテクタ１１０にワイヤーハーネスＷを収容して結束するには、例えば、結束バンド１２０の先端を、外からバンド挿入口１１４に通して、ハーネス収容空間Ｐ内に突出させ、更にワイヤーハーネスＷの上側に回して、切欠部１１８に通し、プロテクタ１１０の底壁１１１及び側壁１１３の外面に沿って延ばした結束バンド１２０の基端側のロック部に挿通させてロックする。これにより、ワイヤーハーネスＷを結束バンド１２０によりプロテクタ１１０に固定することができる。
【０００７】
ところで、このプロテクタ１１０の場合、底壁１１１にバンド挿入口１１４を設けているので、一方の側壁１１３の外面ばかりでなく、底壁１１１の下面側にも結束バンド１２０が露出してしまい、他部品と引っ掛かる等の問題を起こす可能性が出てくる。
【０００８】
そこで、図５に示すハーネスプロテクタ１１０Ｂのように、一方の側壁１１３の下部にバンド挿入口１１４を設けて、結束バンド１２０の先端を、ハーネス収容空間Ｐ内のワイヤーハーネスＷの下側に通してから、ワイヤーハーネスＷに巻き付けるようにすることが考えられる。
【０００９】
こうすれば、底壁１１１の下面側には結束バンド１２０が露出しなくなるから、プロテクタ１１０Ｂの底面側において、結束バンド１２０と他部品との干渉が避けられる。また、底壁１１１の下面を他部品に密着させて、プロテクタ１１０Ｂを配置することも可能になる。
【特許文献１】特開２００３−２３０２１２号公報
【発明の開示】
【発明が解決しようとする課題】
【００１０】
ところが、側壁１１３にバンド挿入口１１４を設けて、結束バンド１２０の先端をワイヤーハーネスＷの下側に通すようにした場合、ワイヤーハーネスＷと底壁１１１との間に隙間がないので、結束バンド１２０の挿入作業が大変である上、電線の取りこぼしが発生するという問題があった。
【００１１】
本発明は、上記事情を考慮し、側壁の下部にバンド挿入口があるプロテクタにおいて、結束バンドの挿入作業が楽に行えて、電線の取りこぼしが発生しないハーネスプロテクタを提供することを目的とする。
【課題を解決するための手段】
【００１２】
請求項１の発明は、底壁と、該底壁の幅方向両側から起立する一対の側壁と、によりハーネス収容空間が画成された樋形状のハーネスプロテクタにおいて、前記一方の側壁の下部に、前記ハーネス収容空間に収容したハーネスを、プロテクタと共に結束する結束バンドの先端を挿入するためのバンド挿入口を設けると共に、前記底壁の内面に、前記バンド挿入口に連通したバンド挿入用の溝を、底壁の幅方向に沿って設けたことを特徴とする。
【００１３】
請求項２の発明は、請求項１に記載のハーネスプロテクタであって、前記バンド挿入口を設けた側壁と対向する反対側の側壁の内面に、前記底壁の内面に設けた溝と連続する溝を設けたことを特徴とする。
【００１４】
請求項３の発明は、請求項１または２に記載のハーネスプロテクタであって、前記底壁または側壁の内面に２本の平行なリブを突設し、これら２本のリブの間に前記溝を確保したことを特徴とする。
【００１５】
請求項４の発明は、請求項３に記載のハーネスプロテクタであって、前記一方のリブをプロテクタの長手方向の開口端に設けたことを特徴とする。
【発明の効果】
【００１６】
請求項１の発明によれば、底壁の内面に、側壁の下部のバンド挿入口に連通したバンド挿入用の溝を設けたので、その溝によって、ワイヤーハーネスの下側に隙間を確保することができる。従って、結束バンドの先端を、隙間を確保するその溝に沿って容易に挿入できるようになり、結束バンドの挿入性の改善が図れる。また、確実にワイヤーハーネスの下側に結束バンドの先端を潜らせることができるようになるので、電線の取りこぼしを無くせる。さらに、溝をガイドして結束バンドの先端を誘導できるため、結束バンドの挿入方向が安定し、作業がやりやすくなる。
【００１７】
請求項２の発明によれば、バンド挿入口を設けた側壁と対向する反対側の側壁の内面に、底壁の溝と連続する溝を設けたので、底壁から側壁に沿って結束バンドを安定して誘導することができ、側壁の溝の上端から結束バンドの先端を上向きに引き出すことができる。
【００１８】
請求項３の発明によれば、底壁または側壁の内面に２本の平行なリブを突設し、これら２本のリブの間に前記溝を確保したので、特に底壁の内面にリブを設けた場合には、リブの高さだけワイヤーハーネスを浮かせることができ、その下側にできる隙間（溝）に結束バンドを容易に通すことができる。また、バンド挿入用の溝を、底壁や側壁の内面を凹ませて形成するのではなく、底壁や側壁の内面にリブを突設して形成しているので、リブを設けた分だけ底壁や側壁を補強することができる。特に底壁から側壁に連続したリブを設けることによって、底壁から側壁にかけてのコーナー部の曲げ強度を高めることができる。
【００１９】
請求項４の発明によれば、２本のリブのうちの一方を、プロテクタの長手方向の開口端に設けたので、強度的に弱い開口端の強度を増すことができる。このバンド挿入用の溝を作るためのリブにより得られる開口端の強度アップは、特に湾曲状のプロテクタの場合、開口端にワイヤーハーネスの曲げ反力を受けることから、有効な対策と言える。
【発明を実施するための最良の形態】
【００２０】
以下、本発明の実施形態を図面に基づいて説明する。
【００２１】
図１は実施形態のハーネスプロテクタの端部構成を示す斜視図、図２はそのハーネスプロテクタにワイヤーハーネスを収容して結束バンドで止めた状態を示す斜視図、図３は図２の状態における要部の断面図である。
【００２２】
このハーネスプロテクタ１０は、底壁１１と、該底壁１１の幅方向両側から起立する一対の側壁１２、１３とを有し、上面がワイヤーハーネスＷを挿入できるように開放した樋形状をなしており、それら３面の壁１１、１２、１３によってハーネス収容空間Ｐを画成したもので、合成樹脂の一体成形品より構成されている。
【００２３】
このプロテクタ１０の長手方向の開口端１９の近傍の一方の側壁１２の下部には、ハーネス収容空間Ｐに収容したワイヤーハーネスＷを、ハーネスプロテクタ１０と共に結束する結束バンド２０の先端を挿入するための四角形のバンド挿入口１４が設けられている。このバンド挿入口１４の開口の下縁は、底壁１１の内面と面一となっている。
【００２４】
また、底壁１１の内面には、バンド挿入口１４に連通したバンド挿入用の溝１５が、底壁１１の幅方向に沿って設けられている。また、バンド挿入口１４を設けた側壁１２と対向する反対側の側壁１３の内面にも、底壁１１の内面に設けた溝１５と連続する溝１６が設けられている。
【００２５】
これらの溝１５、１６は、底壁１１と側壁１３の内面に突設した連続する２本の平行なリブ１７、１７の間に確保されており、一方のリブ１７は、プロテクタ１０の長手方向の開口端１９に配置されている。
【００２６】
また、結束バンド２０は、長尺状のバンド部２１と、このバンド部２１の片面に長手方向に連続して形成された係止部２３と、バンド部２１の基端に設けられて、バンド部２１の先端側が挿通されると共に係止部２３と係合する係止爪（図示略）が形成されたロック部２２とからなる。係止部２３は、周知技術のため図示しないが、バンド部２１に対して垂直な面と傾斜した面とからなる断面三角形状の突起により形成されており、バンド部２１の長手方向に所定の間隔て連続的に形成されている。
【００２７】
このハーネスプロテクタ１０にワイヤーハーネスＷを収容して結束バンド２０で結束するには、結束バンド２０の先端を、図１中矢印Ａのように、外部から一方の側壁１２の下部に設けたバンド挿入口１４に通して、ハーネス収容空間Ｐの内部に導入する。その際、底壁１１の内面（上面）には、バンド挿入口１４に連通したバンド挿入用の溝１５が設けられており、その溝１５によって図３に示すように、ワイヤーハーネスＷの下側に隙間Ｈが確保されているので、その溝１５による隙間Ｈに結束バンド２０の先端を挿入することができ、電線の取りこぼし無く、確実にワイヤーハーネスＷの下側に結束バンド２０の先端を潜らせることができる。
【００２８】
また、バンド挿入口１４を設けた側壁１２と対向する反対側の側壁１３の内面にも、底壁１１の溝１５と連続する溝１６が設けられているので、ワイヤーハーネスＷの下側を潜った結束バンド２０の先端を、その溝１５、１６をガイドとして、底壁１１から側壁１２の内面に沿って安定して誘導することができ、側壁１３の溝１６の上端から上向きに引き出すことができる（図１中矢印Ａ参照）。
【００２９】
従って、図２に示すように、その結束バンド２０の先端を引っ張りながら、ワイヤーハーネスＷの上側に回して、さらに他方の側壁１２を越え、結束バンド２０の基端のロック部２２に挿通させロックすることにより、ワイヤーハーネスＷを結束バンド２０によってプロテクタ１０に固定することができる。
【００３０】
なお、側壁１２の上端での結束バンド２０の位置ずれを防止するために、側壁１２の上端に、バンド部２１を通すための切欠部を設けたり、枠部３０を設けたりするのがよい。
【００３１】
以上のように、本実施形態のプロテクタ１０によれば、底壁１１の内面に、側壁１２の下部のバンド挿入口１４に連通したバンド挿入用の溝１５を設けたので、その溝１５によって、ワイヤーハーネスＷの下側に隙間Ｈを確保することができる。従って、結束バンド２０の先端を、隙間Ｈを確保するその溝１５に沿って容易に挿入できるようになり、結束バンド２０の挿入性の改善が図れる。
【００３２】
また、確実にワイヤーハーネスＷの下側に結束バンド２０の先端を潜らせることができるようになるので、電線の取りこぼしを無くせる。さらに、溝１５をガイドして結束バンド２０の先端を誘導できるため、結束バンド２０の挿入方向が安定し、作業がやりやすくなる。
【００３３】
また、底壁１１の下側に結束バンド２０が露出しない構造となるので、プロテクタ１０の底面側において、結束バンド２０と他部品との干渉が避けられるし、また、底壁１１の下面を他部品に密着させて、プロテクタ１０を配置することも可能になる。
【００３４】
また、本実施形態のプロテクタ１０によれば、底壁１１及び側壁１３の内面に２本の平行なリブ１７を突設して、これら２本のリブ１７の間にバンド挿入用の溝１５、１６を確保したので、リブ１７の高さだけワイヤーハーネスＷを浮かせることができ、その下側にできる隙間Ｈ（溝１５）に結束バンド２０を容易に通すことができる。また、バンド挿入用の溝１５、１６を、底壁１１や側壁１３の内面を凹ませて形成するのではなく、底壁１１や側壁１３の内面にリブ１７を突設して形成しているので、リブ１７を設けた分だけ、底壁１１や側壁１３を補強することができる。特に底壁１１から側壁１３に連続したリブ１７を設けているので、底壁１１から側壁１３にかけてのコーナー部の曲げ強度を高めることができる。
【００３５】
また、２本のリブ１７のうちの一方を、プロテクタの長手方向の開口端１９に設けているので、強度的に弱い開口端１９の強度を増すことができる。このリブ１７により得られる開口端１９の強度アップは、特に湾曲状のプロテクタの場合には、開口端１９にワイヤーハーネスの曲げ反力を受けることから、有効な対策と言うことができる。
【００３６】
なお、上記実施形態では、底壁１１や側壁１３の内面に突設したリブ１７によってバンド挿入用の溝１５、１６を形成した場合を示したが、底壁１１や側壁１３の内面に直接凹みとして溝１５、１６を形成してもよい。
【図面の簡単な説明】
【００３７】
【図１】本発明の実施形態のハーネスプロテクタの端部構成を示す斜視図である。
【図２】同ハーネスプロテクタにワイヤーハーネスを収容して結束バンドで止めた状態を示す斜視図である。
【図３】図２の状態における要部の断面図である。
【図４】従来のハーネスプロテクタにおける結束バンドの止め方の一例を示す断面図である。
【図５】従来のハーネスプロテクタにおける結束バンドの止め方の他の例を示す断面図である。
【符号の説明】
【００３８】
１０  ハーネスプロテクタ
１１  底壁
１２  側壁
１３  側壁
１４  バンド挿入口
１５  溝
１６  溝
１７  リブ
１９  開口端
２０  結束バンド
Ｗ  ワイヤーハーネス
Ｐ  ハーネス収容空間
【図１】
2007174821.tif 000003
【図２】
2007174821.tif 000004
【図３】
2007174821.tif 000005
【図４】
2007174821.tif 000006
【図５】
2007174821.tif 000007